(57)【要約】【課題】腹部を強く締め付ける部材の機能を有効に発揮させて、効果的に体形補正できるガードルを提供すること。【解決手段】少なくとも腹部および臀部を囲む筒状体であって、所定の弾性力を有するガードル本体２０と、下腹部の幅方向の中央部から両脇側の夫々に向かって斜め上方に延伸するように配置され、その延伸する方向Ｘ１にガードル本体２０よりも強い弾性力を有すると共に、延伸する方向Ｘ１と略直交する方向Ｙ１への伸縮性を低減したベルト部３０と、ベルト部３０の両脇側端部に連結するようにして後身頃のウエスト部に配置され、ガードル本体２０よりも強い弾性力を有するウエスト締付部４０と、ベルト部３０の両脇側端部に連結するようにして臀部の下側に配置されて、ガードル本体２０よりも強い弾性力を有する臀部締付部５０と、を備えていることを特徴とするガードル。【選択図】図１
2008057066.tif 000002
【特許請求の範囲】
【請求項１】
少なくとも腹部および臀部を囲む筒状体であって、所定の弾性力を有するガードル本体と、
下腹部の幅方向の中央部から両脇側の夫々に向かって斜め上方に延伸するように配置され、前記延伸する方向に前記ガードル本体よりも強い弾性力を有すると共に、前記延伸する方向と略直交する方向への伸縮性を低減したベルト部と、
前記ベルト部の両脇側の夫々の端部に連結するようにして後身頃のウエスト部に配置され、前記ガードル本体よりも強い弾性力を有するウエスト締付部と、
前記ベルト部の両脇側の夫々の端部に連結するようにして臀部の下側に配置されて、前記ガードル本体よりも強い弾性力を有する臀部締付部と、
を備え、
前記ベルト部は、前記ウエスト締付部及び前記臀部締付部よりも強い弾性力を有している
ことを特徴とするガードル。
【請求項２】
前記ベルト部の内面側には、少なくとも前記ベルト部の面積よりも大きな面積を有し、前記ガードル本体よりも強い弾性力を有する内層部が設けられており、前記ベルト部の内面と前記内層部の外面とが固定されていないことを特徴とする請求項１に記載のガードル。
【請求項３】
前記ベルト部の外面側には、少なくとも前記ベルト部の面積よりも大きな面積を有し、かつ、弾性力を有する表層部が、前記ベルト部を覆って設けられていることを特徴とする請求項１または２に記載のガードル。
【発明の詳細な説明】
【技術分野】
【０００１】
本発明は、体形補正のために着用されるガードルに関する。
【背景技術】
【０００２】
出産後等において、膨らんだ腹部などの体形を補正するため、ガードルがよく用いられている。従来のガードルは、体形補正の効果をより良く発揮できるように、特に膨らんで目立つ腹部に着目して、例えば、腹部での伸縮性を無くしたり、或いは、腹部に強い弾性力を有する部材を配置したりして、腹部の体形を補正するようにしていた（例えば、特許文献１ないし３参照）。
また、この腹部に強い弾性力を有する部材を配置する場合は、その部材の形状を腹部の膨らみに応じてＶ字状として、装着感等を改善している。
【０００３】
【特許文献１】実公平１−１１６８３号公報
【特許文献２】実開昭６２−１３２１０９号公報
【特許文献３】特開２０００−９６３０９号公報
【発明の開示】
【発明が解決しようとする課題】
【０００４】
しかしながら、例えば、腹部に強い弾性力を有する部材（以下、「ベルト」という）を配置しても、そのベルトに縫合されている他の生地の方が伸びてしまうなどして、ベルトが有する締め付け機能を効果的に発揮することができなかった。
また、ガードルを装着した者に動きがあった場合などは、ベルトに縫合されている他の生地が捩れるなどして、ベルトの位置が定まらずに不具合が生じていた。
本発明は上記課題を解消し、腹部を強く締め付ける部材の機能を有効に発揮させて、効果的に体形補正できるガードルを提供することを目的としている。
【課題を解決するための手段】
【０００５】
上記課題は、第１の発明によれば、少なくとも腹部および臀部を囲む筒状体であって、所定の弾性力を有するガードル本体と、下腹部の幅方向の中央部から両脇側の夫々に向かって斜め上方に延伸するように配置され、前記延伸する方向に前記ガードル本体よりも強い弾性力を有すると共に、前記延伸する方向と略直交する方向への伸縮性を低減したベルト部と、前記ベルト部の両脇側の夫々の端部に連結するようにして後身頃のウエスト部に配置され、前記ガードル本体よりも強い弾性力を有するウエスト締付部と、前記ベルト部の両脇側の夫々の端部に連結するようにして臀部の下側に配置されて、前記ガードル本体よりも強い弾性力を有する臀部締付部と、を備え、前記ベルト部は、前記ウエスト締付部及び前記臀部締付部よりも強い弾性力を有しているガードルにより達成される。
【０００６】
第１の発明の構成によれば、ガードルは、下腹部の幅方向の中央部から両脇側の夫々に向かって斜め上方に延伸するように配置され、延伸する方向にガードル本体よりも強い弾性力を有するベルト部を有している。そうすると、ベルト部は、略Ｖ字或いは略Ｕ字状になって腹部の膨らみに対応した形状となり、その強い弾性力を均等に腹部に働きかけ、違和感なく確実に腹部を締め付けることができる。
また、ベルト部は、延伸する方向と略直交する方向への伸縮性を低減されている。したがって、ベルト部は、腹部が前後方向に膨らもうとする方向に伸び難くなるため、腹部の膨らみを確実に押さることができる。
さらに、ガードルは、ベルト部の両脇側の夫々の端部に連結するようにして後身頃のウエスト部に配置されたウエスト締付部と、ベルト部の両脇側の夫々の端部に連結するようにして臀部の下側に配置された臀部締付部とを備えている。したがって、ベルト部は、ウエスト締付部および臀部締付部に連結されて、後身頃のウエスト部と臀部の下側の２方向から位置決めされ、装着者に動きがあっても、ベルト部を適切な位置に保持させることができる。そして、このベルト部を位置決めするウエスト締付部および臀部締付部は、ガードル本体よりも強い弾性力を有するため、ベルト部の引き締め機能を阻害するような伸び等も有効に防止できる。しかも、ベルト部の弾性力がウエスト締付部や臀部締付部よりも強い弾性力とされている。したがって、ウエスト締付部や臀部締付部は、ベルト部のように弾性力が強くないため、身体の動きに追随するなどして、ガードルをはき易くすることができる。
【０００７】
請求項２の発明は、請求項１の発明の構成において、前記ベルト部の内面側には、少なくとも前記ベルト部の面積よりも大きな面積を有し、前記ガードル本体よりも強い弾性力を有する内層部が設けられており、前記ベルト部の内面と前記内層部の外面とが固定されていないことを特徴とする。
請求項２の発明の構成によれば、ベルト部の内面側には、少なくともベルト部の面積よりも大きな面積を有し、ガードル本体よりも強い弾性力を有する。したがって、ベルト部が腹部に当たることで生ずる痛みを防止することができつつ、ベルト部と共に腹部を引き締めることができる。また、ベルト部の内面と内層部の外面とが固定されていないため、内層部が身体にフィットして軽い引き締め効果を発揮しつつ、ベルト部は、装着者の動きに伴って内層部が動くようなことがあっても、内層部の動きに追従することが抑制されて、適切な位置に保持される。
【０００８】
請求項３の発明は、請求項１または２の発明の構成において、前記ベルト部の外面側には、少なくとも前記ベルト部の面積よりも大きな面積を有し、かつ、弾性力を有する表層部が、前記ベルト部を覆って設けられていることを特徴とする。
請求項３の発明の構成によれば、ベルト部の外面側には、少なくともベルト部の面積よりも大きな面積を有する表層部が設けられているため、ベルト部を覆って、外観から視認しづらくなるよう隠すことができる。また、その表層部は弾性力を有するため、ベルト部の締め付け効果を補助することができる。
【発明の効果】
【０００９】
以上説明したように、本発明によれば、腹部を強く締め付ける部材の機能を有効に発揮させて、効果的に体形補正できるガードルを提供できる。
【発明を実施するための最良の形態】
【００１０】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１１】
図１ないし図４は、本発明の実施形態に係るガードル１０であって、図１はガードル１０の概略正面側斜視図、図２はガードル１０の概略背面図、図３は図１のＡ−Ａ線切断断面図、図４は図１の一点鎖線で囲った領域Ｒの内部構造を示した図である。
これらの図に示すように、ガードル１０は、少なくとも使用者の腹部Ｓおよび臀部Ｂを囲む筒状体であるガードル本体２０を有している。
すなわち、ガードル本体２０は、少なくとも、下腹部Ｓ２と腹部の上側Ｓ１を含む腹部Ｓ及びこれに対応する両脇Ｕや背中Ｌ、並びに臀部Ｂを覆い、本実施形態の場合、さらに胸の下回りまでも覆う所謂ハイウエストタイプになっており、また、太腿Ｌ回りも覆うようになっている。
【００１２】
そして、このガードル本体２０は、身体へのフィット性を持つよう、少なくとも周方向に対して弾性力を有し、より好ましくは、いずれの方向に対しても弾性力を有するように形成されており、例えば、サテンネット、パワーネット、サテンヘム、トリコネット、ナイロンツーウェイ等の伸縮性材料を用いて形成されている。
また、ガードル本体２０は、その内周が使用者の外周に比べて小さく形成されており、これにより、装着した際に弾性力をもって使用者を締め付けることができる。
【００１３】
このようなガードル本体２０に対して、使用者は、筒状体の上側の開口部２０ａから両脚を入れ、両太腿Ｌ，Ｌ側の開口部２０ｂ，２０ｂから脚を出して着用し、脱ぐ際には逆の動きで脱ぐようになっている。
この際、弾性力のあるガードル本体２０を手で引き伸ばして履くことは大変であるため、ガードル本体２０には開閉手段であるファスナー２２が設けられている。このファスナー２２は、腹部Ｓに接触して生ずる刺激を防止するため、脇腹Ｕの一方の領域に設けられており、高さ方向（図１の上下方向）について、開口部２０ａ側の縁から下腹部Ｓ２にいたるまで配置されて、前身頃側と後身頃側とを分離するようになっており、使用者はガードル２０を引きながら履いた状態でファスナー２２を締める構成とされている。
【００１４】
なお、本実施形態のガードル本体２０には、少なくともガードル本体２０に比べて強い剛性を有する骨格部２４が、高さ方向（図１の上下方向）に沿って設けられている。ここでは、骨格部２４は、例えば、コイルボーンや樹脂ボーン等を用いて細長くい棒状に形成されて、その厚み方向に可撓性を有しており、腹部Ｓの両脇Ｕ側に互いに平行になるように２本配置されている。これにより、ガードル１０が所謂ハイウエストタイプであっても、開口部２０ａ側のめくれを防止することができる。  
【００１５】
ここで、ガードル１０は、腹部Ｓを他の部位よりも強く引き締めるためのベルト部３０を有する。
ベルト部３０は、下腹部Ｓ２の幅方向の中央部から両脇Ｕ側の夫々に向かって斜め上方に延伸するように配置されて、略Ｖ字あるいは略Ｕ字状となっており、これにより、腹部Ｓの膨らんだ形状に沿うようになっている。
【００１６】
さらに、本実施形態のベルト部３０は、下腹部Ｓ２の幅方向の中央部から両脇Ｕ側に向かって斜め上方に延伸する方向Ｘ１（図１参照）にガードル本体２０よりも強い弾性力を有すると共に、この延伸する方向Ｘ１と略直交する方向Ｙ１への伸縮性を低減した状態とされている。
具体的には、ベルト部３０は、図４に示すように、例えば、テグスコール、タッグゴム、硬質パワーネット（ポリウレタン・ナイロン・ポリウレタン等）等から形成されており、ポリウレタン等からなる強い弾性力を有する複数の弾性体３２が、一方向に配置された生地で形成されている。この複数の弾性体３２は、下腹部Ｓ２の幅方向の中央部から両脇Ｕ側に向かって斜め上方に延伸する方向Ｘ１に長く、この方向Ｘ１に沿って、互いに平行に配置されることで、斜め上方となる方向Ｘ１に強い弾性力を発揮している。
なお、ここにいう「弾性」とは、所謂「ゴム弾性」と同様な性質の作用を発揮するもので、「引っ張ると伸びるが、放すと元の状態に戻る」力をさせるものである。そして、強い弾性力とは、引っ張った場合に元の状態に戻ろうとする力が大きいことを意味し、所謂ばね定数が大きいことを意味する。
【００１７】
また、ベルト部３０は、弾性体３２の最も延びる方向Ｘ１と略直交する方向Ｙ１に沿って、互いに平行に配置された複数の非伸縮手段であるテグス３４を有しており、この複数のテグス３４の各々は複数の弾性体３２に対して固定されて、一枚の生地とされている。このテグス３４は、略伸縮性のない部材であり、例えば、ポリエステル、ナイロン、ポリプロピレン、ウーリー糸等から形成されている。
このようにして、ベルト部３０の延伸する方向Ｘ１と略直交する方向Ｙ１への伸縮性を低減しており、ここではデグス３４によって伸縮性を殆んど有さなくしてる。したがって、ベルト部３０は、腹部Ｓの膨らみに合わせて略Ｖ字あるいは略Ｕ字状にして身体にフィットする構成としたことと相まって、腹部Ｓが前後方向に膨らもうとする方向に伸び難くなり、腹部Ｓの膨らみを違和感なく、かつ、確実に押さえることができる。
【００１８】
なお、このベルト部３０が延伸する方向Ｘ１と略直交する方向Ｙ１が、水平方向（図１の左右方向）に近づくと、ガードル１０を周方向に広げて履くことが困難になってしまう。このため、本実施形態の場合、方向Ｙ１の水平方向に対する角度θは、約４５度に設定されている。すなわち、ベルト部３０は約４５度斜め上方に延びるよう配置されている。
【００１９】
また、図３に示されるように、ベルト部３０の内面側（身体側）には、少なくともベルト部３０の面積よりも大きな面積を有する内層部３８が設けられている。ここでは、内層部３８は、腹部の上側Ｓ１を含む腹部Ｓ全体を覆うことで、ベルト部３０を補完して腹部を引き締められる構成とされている。
内層部３８は、ベルト部３０に比べて伸縮性が大きく（硬度が低く）、より好ましくは滑り性が高くなっており、例えば、少なくとも一部にポリウレタン等の伸縮性のある弾性糸が、ナイロン等と共に使用された生地から形成された所謂パワーネット等の全方向への伸縮性を有する生地が利用されている。このため、ベルト部３０が腹部Ｓに直接当たることで生ずる痛みを防止すると同時に、腹部全体にフィットして引き締めることができ、また、内層部３８の滑り性を高くしたため、肌に対する悪影響を抑制できる。
そして、この内層部３８の外面とベルト部３０の内面とは固定されていないため、ベルト部３０は、装着者の動きに伴って内層部３８が動くようなことがあっても、その動きに追従することが抑制されて、適切な位置に保持される。
【００２０】
また、ベルト部３０の外面側には、図１および図３に示されるように、ベルト部３０を覆うように少なくともベルト部３０の面積よりも大きな面積を有し、かつ、弾性力を有する表層部３６が設けられている。したがって、この表層部３６で、弾性体３２による強い弾性や、テグス３４による非伸縮とされる等、比較的厚みがあって目立ち易いベルト部３０を隠すことができ、さらに、表層部３６に刺繍などの装飾美を施すこともできる。また、表層部３６は弾性力を有するため、ベルト部３０や内層部３８の締め付け効果を補助することもできる。
なお、本実施形態の場合、ガードル１０の下腹部Ｓ２は、図３に示されるように、ベルト部３０と表層部３６との間にガードル本体２０が介在しており、内側から、内層部３８、ベルト部３０、ガードル本体２０、表層部３６の順で積層され、これらはベルト部３０の両脇側の夫々の端部３０ａ，３０ａ（図１参照）、すなわち腹部Ｓの両側縁に沿って縫合されている。また、ベルト部３０の上下方向の端部３０ｂ，３０ｂ（図１参照）については、内層部３８と縫合されていないが、ガードル本体２０とは縫合されており、表層部３６はベルト部３０の上下方向の端部３０ｂ、３０ｂの縫合線を目隠しするようガードル本体２０にのみ縫合されている。
【００２１】
そして、ガードル１０は、図１及び図２に示すように、ベルト部３０の両脇側の夫々の端部３０ａ，３０ａに連結するようにして、後身頃のウエスト部Ｑに配置され、ガードル本体２０よりも強い弾性力を有するウエスト締付部４０を有する。
すなわち、このウエスト締付部４０は、後身頃のウエスト部Ｑを締め付けると共に、ベルト部３０を腹部Ｓに適切に配置するための部材であり、例えば、内層部３８と同様のパワーネット等の全方向への伸縮性を持つ生地で形成されている。
【００２２】
具体的には、ウエスト締付部４０は、ガードル本体２０の内側に配置されている。
また、ウエスト締付部４０は、内層部３８が形成されたガードル本体２０の腹部の上側Ｓ１と連結し、ガードル本体２０や内層部３８と共同して、ガードル１０の上端全周に配置されるようにウエスト回りを囲み、これにより、ウエスト部Ｑを締め付けるようになっている。
また、ウエスト締付部４０の開口部２０ａ側の縁、及びこのウエスト締付部４０に連結されたガードル本体２０の腹部の上側Ｓ１の開口部２０ａ側の縁には、周方向に弾性力を有するゴム等が縫合されて縁締付部２６が形成されており、ガードル１０のズレ落ちを防止している。
【００２３】
そして、ウエスト締付部４０は、ベルト部３０の両脇側端部３０ａ，３０ａの少なくとも上側半分以上と連結され、ベルト部３０の延伸する方向Ｘ１に配置されている。
また、ウエスト締付部４０の弾性力は、ガードル本体２０の弾性力よりも強く形成されており、周方向のみならず、ベルト部３０の延伸する方向Ｘ１に沿って発揮されるようになっている。
これにより、ウエスト締付部４０は、ベルト部３０を延伸する方向Ｘ１に引っ張って、ベルト部３０を適切に位置決めできる。
なお、本実施形態では、両脇Ｕの一方にウエスト締付部５０の前身頃側と後身頃側とを分断するようにファスナー２２が設けられており、開閉手段であるファスナー２２によって、使用者はガードル１０を着脱可能としている。そして、このファスナー２２及びその周辺は伸縮性がないように形成されている。したがって、ファスナー２２は開閉可能でありながらも、ウエスト締付部５０の弾性力を効率よくベルト部３０に伝達でき、ウエスト締付部５０のベルト部３０を引っ張る機能を阻害することを防止できる。
【００２４】
また、ウエスト締付部４０の弾性力は、ベルト部３０の弾性力（Ｘ１方向の弾性力）よりも弱く形成されており、これにより、ガードル１０を履きやすくしている。すなわち、ウエスト締付部４０にもベルト部３０と同じように強い弾性力を持たせると、強い弾性力を有するベルト部３０と一体となって締め付けが強くなり過ぎたり、硬くなって使用者の動きを阻害したりする。そこで、このような弊害を防止するために、ガードル本体２０、ウエスト締付部４０、ベルト部３０の順で、弾性力を段階的に強めている。
【００２５】
また、ガードル１０は、図１および図２に示されるように、ベルト部３０の両脇側の夫々の端部３０ａ，３０ａに連結するようにして、臀部Ｂの下側に配置されて、ガードル本体２０よりも強い弾性力を有する臀部締付部５０を有する。
すなわち、この臀部締付部５０は、後身頃の臀部Ｂを引き上げると共に、ベルト部３０を腹部Ｓに適切に配置するための部材であり、例えば、内層部３８と同様のパワーネット等の全方向への伸縮性を持つ生地で形成されている。
【００２６】
具体的には、臀部締付部５０は、図１に示されるように、一端５０ａ，５０ａがベルト部３０の両脇側端部３０ａ，３０ａの少なくとも下側半分以上と連結され、本実施形態の場合、その一部が両脇側端部３０ａ，３０ａの高さ方向の中央付近において、ウエスト締付部４０と重合されている。そして、臀部締付部５０は、ベルト部３０の両脇側端部３０ａ，３０ａから、図２に示されるように、臀部Ｂの膨らみの下側に沿って延伸し、他端５０ｂ，５０ｂが股下のガードル本体２０と連結されている。このように、臀部締付部５０は後身頃における臀部Ｂの膨らみの頂点より下側に配置されて、ヒップアップできるようになっている。
【００２７】
さらに、臀部締付部５０は、図１に示されるように、ベルト部３０の延伸する方向Ｘ１と略直交する方向Ｙ１にも接続するように配置されている。
この点、上述のように、ベルト部３０の方向Ｙ１は伸縮性がほとんど無い。したがって、臀部締付部５０は、その基点となるベルト部３０が動き難い状態であるため、ヒップアップ機能を適切に発揮することができる。
【００２８】
そして、臀部締付部５０の弾性力は、少なくとも、ベルト部３０の延伸する方向Ｘ１と略直交する方向Ｙ１に沿って発揮されるようになっている。これにより、臀部締付部５０は、ベルト部３０を方向Ｙ１と略同じ方向Ｙ２に引っ張って、上述したウエスト締付部４０と協働して、ベルト部３０を適切に位置決めできる。つまり、最も強い弾性力を有するベルト部３０が基準となるよう、端部３０ａ，３０ａから、水平もしくは斜め上方側にウエスト締付部４０が、斜め下方側に臀部締付部５０が配置されることで、弾性力を有する各締付部４０，５０が適切な位置に配置されると共に、ベルト部３０を位置決めできる。
また、臀部締付部５０の弾性力は、ウエスト締付部４０と同様に、ガードル本体２０の弾性力より強いが、ベルト部３０の弾性力よりも弱く形成されている。したがって、ウエスト締付部４０と同様に、ガードル１０が履きやすくなる。
【００２９】
なお、上述した互いに平行に配置された骨格部２４，２４は、高さ方向（図１の上下方向）について、開口部２０ａ側の縁からベルト部３０の両脇Ｕ側の端部３０ａ，３０ａの近傍まで延びるように形成されている。これにより、剛性のある骨格部２４，２４に対して、ベルト部３０の弾性方向Ｘ１が向かうこととなり、骨格部２４，２４を基準にベルト部３０の弾性力を働かせることによってもベルト部３０の位置決めを助力することになる。
【００３０】
本発明の実施形態は以上のように構成されており、ガードル１０は、下腹部Ｓ２の幅方向の中央部から両脇側に向かって斜め上方に延伸するように配置され、延伸する方向Ｘ１にガードル本体２０よりも強い弾性力を有するベルト部３０を有しているため、違和感なく確実に腹部Ｓを締め付けることができる。また、ベルト部３０は、延伸する方向Ｘ１と略直交する方向Ｙ１の伸縮性を低減しているため、腹部Ｓが前後に膨らもうとする方向に伸び難く、腹部Ｓの膨らみを確実に押さることができる。
さらに、ガードル１０は、ベルト部３０の両脇側の夫々の端部３０ａ，３０ａに連結するようにして、後身頃のウエスト部Ｑに配置されたウエスト締付部４０、及び臀部Ｂの下側に配置された臀部締付部５０を備えている。したがって、ベルト部３０は、ウエスト締付部４０および臀部締付部５０の双方に連結されて、後身頃のウエスト部Ｑと臀部Ｂの下側の２方向から位置決めされ、装着者に動きがあっても、ベルト部３０を適切な位置に保持させることができる。そして、このウエスト締付部４０および臀部締付部５０は、ガードル本体２０よりも強い弾性力を有するため、ベルト部３０の引き締め機能を阻害するような伸び等も有効に防止できる。
しかも、ウエスト締付部４０および臀部締付部５０は、ベルト部３０に比べて弾性力が弱く、伸縮性の方向を問わないため、身体にフィットして、動きに追随することができる。そして、ウエスト締付部４０および臀部締付部５０は、上述のように弾性力をある程度弱くしても、ベルト部３０を複数方向から支持しているので、ベルト部３０を位置決めする機能を損なうことを有効に防止できる。
【００３１】
ところで、本発明は上記実施形態に限定されるものではなく、特許請求の範囲を逸脱しない範囲で種々の変更を行うことができる。また、上記実施形態の各構成は、その一部を省略し、あるいは上記とは異なるように任意に組み合わせることができる。
例えば、本実施形態のベルト部３０、ウエスト締付部４０、及び臀部締付部５０は、ガードル本体２０の内側（身体側）に配置されているが、その全て或いは一部がガードル本体２０の外側に配置され、例えば、図３に示す積層構造が、内側から内層部３８、ガードル本体２０、ベルト部３０、及び外層部３６の順になってもよい。
また、ウエスト締付部４０および臀部締付部５０は、それぞれ、複数本に分かれて、ベルト部３０と連結されてもよい。さらに、ガードル本体２０の背面に固定された、より強い弾性力を有するベルト部材を、全面で着脱可能に締め付けられるよう配置してもよい。
【図面の簡単な説明】
【００３２】
【図１】本発明の実施形態に係るガードルの概略正面図。
【図２】本発明の実施形態に係るガードルの概略背面図。
【図３】図１のＡ−Ａ線切断断面図。
【図４】図１の一点鎖線で囲った領域Ｒの内部構造を示した図。
【符号の説明】
【００３３】
１０・・・ガードル、２０・・・ガードル本体、３０・・・ベルト部、４０・・・ウエスト締付部、５０・・・臀部締付部、Ｘ１・・・延伸する方向、Ｙ１・・・略直交する方向
【図１】
2008057066.tif 000003
【図２】
2008057066.tif 000004
【図３】
2008057066.tif 000005
【図４】
2008057066.tif 000006